(57)【要約】【課題】太陽電池パネル上の雨水を好適に利用可能な太陽電池装置および太陽電池モジュールを提供する。【解決手段】太陽電池装置ＰＡは、架台２と、第１辺１０ｃおよび該第１辺１０ｃに対向する第２辺１０ｄを有し、第１辺１０ｃが第２辺１０ｄよりも下方に位置するように傾斜して架台２上に配置された矩形状の太陽電池パネル１０と、第１辺１０ｃよりも下方に位置し、架台２に取り付けられた集水部材３と、を備えている。太陽電池装置ＰＡにおいて、集水部材３は、第１辺１０ｃに沿って延びる凹部を有する第１集水部３１と、記第１辺１０ｃに沿って並んで第１集水部３１に設けられた複数の第１排水部３２と、を有する。【選択図】  図３
2016208716.tif 000002
【特許請求の範囲】
【請求項１】
架台と、
第１辺および該第１辺に対向する第２辺を有し、前記第１辺が前記第２辺よりも下方に位置するように傾斜して前記架台上に配置された矩形状の太陽電池パネルと、
前記第１辺よりも下方に位置し、前記架台に取り付けられた集水部材と、を備え、
前記集水部材は、前記第１辺に沿って延びる凹部を有する第１集水部と、前記第１辺に沿って並んで前記第１集水部に設けられた複数の第１排水部と、を有する太陽電池装置。
【請求項２】
前記複数の第１排水部は、前記凹部に設けられた貫通孔である、請求項１に記載の太陽電池装置。
【請求項３】
前記複数の第１排水部は、前記太陽電池パネル側に位置する前記凹部の側面に設けられた切欠部である、請求項１に記載の太陽電池装置。
【請求項４】
前記太陽電池パネルは、表面および前記架台側に位置する裏面を有しており、
前記集水部材は、前記複数の第１排水部から前記裏面の下方に向かって前記架台に取り付けられた第２集水部と、該第２集水部に設けられた複数の第２排水部と、を有する、請求項１乃至請求項３のいずれかに記載の太陽電池装置。
【請求項５】
前記複数の第１排水部は、前記第１辺側に位置する前記凹部の側面に設けられており、
前記第２集水部は、前記複数の第１排水部を介して前記第１集水部に連結されている、請求項４に記載の太陽電池装置。
【請求項６】
第１辺、該第１辺に対向する第２辺を有し、前記第１辺が前記第２辺よりも下方に位置するように傾斜して配置される矩形状の太陽電池パネルと、
該太陽電池パネルの周囲に配置されたフレームと、
前記第１辺よりも下方に位置し、前記フレームに取り付けられた集水部材と、を備え、
前記集水部材は、前記第１辺に沿って延びる凹部を有する集水部と、前記第１辺に沿って並んで前記集水部に設けられた複数の排水部と、を有する太陽電池モジュール。
【発明の詳細な説明】
【技術分野】
【０００１】
本発明は、太陽電池装置および太陽電池モジュールに関する。
【背景技術】
【０００２】
近年の環境保護の機運の高まりに伴い、環境負荷の少ない太陽電池装置の普及が進んでいる。太陽電池装置の種類の一つとして、農地に簡易な支柱を立てて、営農を継続しながら農地の上方に太陽電池パネルを設置して太陽光発電を行なう太陽電池装置がある（例えば、特許文献１参照）。
【先行技術文献】
【特許文献】
【０００３】
【特許文献１】特開２０１４−２３６２００号公報
【発明の概要】
【発明が解決しようとする課題】
【０００４】
特許文献１に開示された太陽電池装置では、太陽電池パネル上の雨水を雨樋で集めて、農作物に影響のない領域に排水している。そのため、このような太陽電池装置では、上述の雨水を農作物に与えにくい。つまり、上述の雨水を農作物の成長に利用しにくい。
【０００５】
本発明の１つの目的は、太陽電池パネル上の雨水を好適に利用可能な太陽電池装置および太陽電池モジュールを提供する。
【課題を解決するための手段】
【０００６】
本発明の一実施形態に係る太陽電池装置は、架台と、第１辺および該第１辺に対向する第２辺を有し、前記第１辺が前記第２辺よりも下方に位置するように傾斜して前記架台上に配置された矩形状の太陽電池パネルと、前記第１辺よりも下方に位置し、前記架台に取り付けられた集水部材と、を備えている。本実施形態において、前記集水部材は、前記第１辺に沿って延びる凹部を有する第１集水部と、前記第１辺に沿って並んで前記第１集水部に設けられた複数の第１排水部と、を有する。
【０００７】
本発明の一実施形態に係る太陽電池モジュールは、第１辺、該第１辺に対向する第２辺を有し、前記第１辺が前記第２辺よりも下方に位置するように傾斜して配置される矩形状の太陽電池パネルと、該太陽電池パネルの周囲に配置されたフレームと、前記第１辺よりも下方に位置し、前記フレームに取り付けられた集水部材と、を備える。本実施形態において、前記集水部材は、前記第１辺に沿って延びる凹部を有する集水部と、前記第１辺に沿って並んで前記集水部に設けられた複数の排水部と、を有する。
【発明の効果】
【０００８】
本発明の実施形態に係る太陽電池装置および太陽電池モジュールによれば、太陽電池パネル上の雨水を集水して、設置面に対して分散させて排水することができる。その結果、雨水を農作物等の成長に利用しやすい。
【図面の簡単な説明】
【０００９】
【図１】図１は、本発明に係る太陽電池装置の一実施形態を示す図面であり、（ａ）は斜視図を示し、（ｂ）は図１（ａ）のＡ−Ａ’線における端面図であり、（ｃ）は図１（ａ）のＢ−Ｂ’線における断面図である。
【図２】図２は、本発明に係る太陽電池装置の一実施形態を構成する太陽電池モジュールの一例を示す図であり、図２（ａ）は太陽電池モジュールを受光面側から見た平面図、図２（ｂ）は図２（ａ）のＣ−Ｃ’線における端面図であり、図２（ｃ）は図２（ａ）のＤ−Ｄ’線における端面図である。
【図３】図３は、本発明に係る太陽電池装置の一実施形態の一部を拡大して示す図面であり、図３（ａ）は図１から集水部材を抜き出して示す斜視図であり、図３（ｂ）は図１（ａ）のＥ−Ｅ’線における端面図である。
【図４】図４は、本発明の太陽電池装置の他の実施形態の示す図面であり、図３（ａ）に相当する集水部材を示す斜視図である。
【図５】図５は、本発明の太陽電池装置の他の実施形態を示す図面であり、（ａ）は太陽電池装置から太陽電池モジュールと集水部材を抜き出し、その位置関係を示す斜視図であり、（ｂ）は太陽電池装置の他の実施形態を示す斜視図である。
【図６】図６は、本発明の太陽電池装置の他の実施形態を示す図面であり、（ａ）は図１（ａ）のＦ部に相当する部位を抜き出し示す斜視するモデル図であり、（ｂ）は図１（ａ）のＧ−Ｇ’線における断面図である。
【図７】図７は、本発明に係る太陽電池モジュールの一実施形態を示す図であり、（ａ）は平面図を示し、（ｂ）は図７（ａ）のＨ−Ｈ’線における端面図であり、（ｃ）は図７（ａ）のＩ−Ｉ’線における端面図である。
【発明を実施するための形態】
【００１０】
以下、本発明の実施形態に係る太陽電池装置ＰＡについて、図面を参照しつつ詳細に説明する。なお、太陽電池装置ＰＡを構成する同一名称の部材については同一符号を付すものとし、重複した説明は省略する。
【００１１】
≪第１実施形態≫
図１に示すように、太陽電池装置ＰＡは、例えば農作物の育成をする農地である設置面Ｐに設置される。なお、以下の説明では、設置面Ｐは水平な面であるものとする。また、本発明の一実施形態に係る太陽電池装置ＰＡを構成する太陽電池パネル１０の受光面１０ａに平行で、この受光面１０ａが設置面Ｐに対して傾斜した傾斜方向に垂直な方向をＸ軸方向とする。また、この受光面１０ａに平行で傾斜方向に平行な方向をＹ軸方向とし、この受光面１０ａに垂直な方向をＺ軸方向とする。また、以下の説明では、図１等において、太陽電池装置ＰＡの傾斜方向における下方を軒側とし、傾斜方向における上方を棟側と称する。
【００１２】
太陽電池装置ＰＡは、太陽電池モジュール１と、架台２と、集水部材３とを備えている。次に、太陽電池装置ＰＡの各部材について説明する。
【００１３】
＜太陽電池モジュール＞
太陽電池モジュール１は、図２に示すように、太陽電池パネル１０を有する。太陽電池パネル１０は、受光面１０ａ（表面）および該受光面１０ａの裏面１０ｂを有する。また、太陽電池パネル１０は矩形状であり、第１辺１０ｃ、該第１辺に対向する第２辺１０ｄ、第３辺１０ｅおよび該第３辺に対向する第４辺１０ｆを有する。また、太陽電池パネル１０は、図１に示すように、第１辺１０ｃが第２辺１０ｄよりも下方に位置するように傾斜して架台２上に配置される。
【００１４】
太陽電池パネル１０は、透光性基板１１と、この透光性基板１１に対して所定位置に配置され、互いに電気的に接続された複数の太陽電池素子１２と、これら太陽電池素子１２の周囲を保護する充填材１３と、裏面保護部材１４とが積層されてなる。
【００１５】
透光性基板１１は、太陽電池素子１２等を受光面１０ａ側から保護する機能を有している。透光性基板１１としては、例えば、強化ガラスまたは白板ガラス等が挙げられる。
【００１６】
太陽電池素子１２は、入射された光を電気に変換する機能を有している。このような太陽電池素子１２は、例えば、単結晶シリコンまたは多結晶シリコン等からなる半導体基板と、この半導体基板の表面（上面）および裏面（下面）に設けられた電極とを有している。単結晶シリコン基板または多結晶シリコン基板を有する太陽電池素子１２は、例えば、平面視で四角形状をしている。このとき、太陽電池素子１２の一辺の大きさは、例えば、１００〜２００ｍｍである。
【００１７】
なお、太陽電池素子１２の種類は、特に制限されない。上記の他に例えば、太陽電池素子における光電変換部分がアモルファスシリコン系、ＣＩＧＳ等のカルコパイライト系またはＣｄＴｅ系などの材料から成る薄膜型の太陽電池素子が採用されてもよい。上述した薄膜型の太陽電池素子は、例えば、ガラス基板上に、アモルファスシリコン系、ＣＩＧＳ系またはＣｄＴｅ系などからなる光電変換層および透明電極などを適宜積層させたものが利用できる。このような薄膜型の太陽電池素子は、ガラス基板上で光電変換層および透明電極にパターニングを施して集積化することによって得られる。そのため、薄膜型の太陽電池素子では、複数の光電変換層同士を接続する配線材１６を不要にできる。さらに、太陽電池素子１２は、単結晶または多結晶シリコン基板上にアモルファスシリコンの薄膜を形成したタイプであってもよい。
【００１８】
充填材１３は、太陽電池素子１２の両主面側に設けられる。これにより、充填材１３は、太陽電池素子１２を封止する機能を有している。このような充填材１３としては、例えば、透明のエチレンビニルアセチレートの共重合体などの熱硬化性樹脂が挙げられる。
【００１９】
裏面保護部材１４は、太陽電池素子１２等を裏面側から保護する機能を有している。このような裏面保護部材１４は、太陽電池パネル１０の裏面側に位置する充填材１３と接着している。このような裏面保護部材１４としては、例えば、白色のＰＶＦ（ポリビニルフルオライド）、ＰＥＴ（ポリエチレンテレフタレート）、ＰＥＮ（ポリエチレンナフタレート）、またはこれらを適宜選択して積層したものを用いることができる。
【００２０】
なお、裏面保護部材１４は着色されたものに限られるものではなく、例えば透明の樹脂部材、ガラスなどを用いてもよい。このような透明の裏面保護部材１４を用いれば、隣り合う太陽電池素子１２間に入射した光を太陽電池パネル１０の裏面１０ｂ側に透過させることができる。これにより、このような形態であれば、入射した光を太陽電池パネル１０の下方の設置面に設けられた農作物の育成に利用することができる。
【００２１】
さらに、太陽電池パネル１０の外周には、フレーム１５が取り付けられている。フレーム１５は、太陽電池モジュール１の耐荷重を向上させて、衝撃から保護する機能を有している。このようなフレーム１５は、例えば、アルミニウム合金等の金属を押出成形したものを用いることができる。
【００２２】
また、フレーム１５は、太陽電池パネル１０の第１辺１０ｃを保護する部位に太陽電池パネル１０上の水を効率的に排水する切除部１５ａを有する。切除部１５ａは、太陽電池パネル１０の受光面１０ａ側を覆うフレーム１５の一部を切り欠いて受光面１０ａを露出するように設けられる。このような切除部１５ａは、例えば５ｍｍ〜３０ｍｍの幅にフレーム１５を切り欠くことで設けられる。また、切除部１５ａは、フレーム１５の長手方向に沿って複数の部位に設けられる。
【００２３】
また、太陽電池パネル１０において、隣接する太陽電池素子１２同士は配線材１６によって電気的に接続されている。具体的に、配線材１６は、一方の太陽電池素子１２の表面に位置する電極と、他方の太陽電池素子１２の裏面に位置する電極とを電気的に接続して
いる。これにより、複数の太陽電池素子１２が直列接続されるように配列される。このような配線材１６としては、例えば、半田が被覆された銅箔などが挙げられる。
【００２４】
＜架台＞
架台２は、図１に示すように、基礎２１と、柱部材２２と、梁部材２３と、桟部材２４とを備えている。
【００２５】
基礎２１は、太陽電池装置ＰＡの土台としての機能を有している。このような基礎２１としては、材質が例えばステンレスの、摩擦杭の一種であるスクリュー杭を用いるとよい。スクリュー杭は、例えば円形断面の杭体の外周に螺旋状の翼状部を有する。これにより、周面摩擦および引抜抵抗が向上する。このような摩擦杭を基礎２１に用いることによって、簡易な構造で容易に撤去できる。そのため、このような基礎２１は、一時転用許可の条件がある土地（例えば農地）において利用しやすい。また、スクリュー杭は、翼状部によって太陽電池装置ＰＡに対して吹き上げ方向の風圧力が加わった時の引抜抵抗が高まる。その結果、太陽電池装置ＰＡの強度を高めることができる。
【００２６】
柱部材２２は、長手方向が設置面Ｐに対して垂直方向となるように、基礎２１上に配置された柱体である。柱部材２２は、図１に示すように、太陽電池装置ＰＡの四方の角に立てられて、後述の梁部材２３を支持している。太陽電池装置１の下方で農業用機械を用いることができるように、柱部材２２のＸ軸方向およびＹ軸方向の間隔は約５ｍ程度とし、梁部材２３を３ｍ以上の高さに配置できるように柱部材２２の上端までの高さは３ｍ以上にするとよい。より詳細に説明すると、柱部材２２は、Ｙ軸方向の一方側に配置された一対の第１柱部材２２Ａと、他方向側に配置された第２柱部材２２Ｂを有する。第１柱部材２２Ａと第２柱部材２２Ｂとでは長さが異なっており、第２柱部材２２Ｂの長さが第１柱部材２２Ａの長さよりも長い。柱部材２２としては、例えば、一般構造用炭素鋼やステンレス鋼などからなる丸型断面や角型断面の鋼管を用いることができる。
【００２７】
梁部材２３は、Ｘ軸方向に並ぶ柱部材２２の間に、Ｘ軸方向を長手方向として渡される長尺の部材である。柱部材２２と梁部材２３とは、例えば２本の鋼管を所定の角度で把持する機構を持つ継手部材（不図示）を用いて連結される。上述したように、太陽電池モジュール１（太陽電池パネル１０）は、水平方向に対して傾斜するように架台２に配置される。そのため、太陽電池装置ＰＡでは、第１柱部材２２Ａに取り付けられた第１梁部材２３Ａの設置面Ｐからの高さが、第２柱部材２２Ｂに取り付けられた第２梁部材２３Ｂの方が高くなる。また、梁部材２３には、柱部材２２と同様の材質で構成された管状の部材を用いることができる。
【００２８】
桟部材２４は、Ｙ軸方向に並ぶ梁部材２３の間に、Ｙ軸方向を長手方向として渡される長尺の部材である。複数の桟部材２４が太陽電池モジュールのＸ軸方向の長さと略同じ間隔で、Ｘ軸方向に互いに平行になるように並べて配置される。隣り合う一対の桟部材２４は、太陽電池パネル１０の第３辺１０ｅと第４辺１０ｄとをそれぞれ保護するフレーム１５を支持する。これにより、太陽電池モジュール１は、桟部材２４を介して梁部材２３に支持されている。また、第１梁部材２３Ａと第２梁部材２３Ｂとの間に配置された桟部材２４は、設置面Ｐに対して傾斜するように配置される。これにより、桟部材２４に固定された太陽電池モジュール１が設置面Ｐに対して傾斜するように配置される。桟部材２４が設置面Ｐに対して傾斜する角度は、太陽電池パネル１０に対する太陽光の入射角度および太陽電池パネル１０の第１辺１０ｃの側から雨水を効率よく集水するという観点から５°〜３０°程度にするとよい。このとき、太陽電池モジュール１は、例えば固定金具２５で桟部材２４に固定される。また、梁部材２３と桟部材２４とは、前述の継手部材（不図示）を用いて連結される。また、桟部材２４には、柱部材２２や梁部材２３と同様の材質で構成された管状の部材を用いることができる。
【００２９】
＜集水部材＞
集水部材３は、太陽電池パネル１０の受光面１０ａに降った雨水を集水するとともに、所定の場所に排水する機能を有している。集水部材３は、第１辺１０ｃが第２辺１０ｄよりも下方に位置するように傾斜して架台２上に傾斜して設置された太陽電池パネル１０の軒側（第１辺１０ｃ）の下方に配置される。本実施形態において、集水部材３は、架台２の桟部材２４に取り付けられる。集水部材３は、太陽電池パネル１０の第１辺１０ｃから流れ落ちる水を受ける第１集水部３１を有する。なお、本実施形態のように、太陽電池パネル１０にフレーム１５が取り付けられている場合には、フレーム１５の切除部１５ａを通って雨水を集水部材３で回収することができる。第１集水部３１は、凹状の断面を有する凹部を有する。集水部材３は、第１辺１０ｃに沿って延びる長尺状の部材である。また、第１集水部３１の凹部も、第１辺１０ｃに沿って延びるように構成されている。第１集水部３１の凹部の断面形状は、例えば上方が開口した弧状や方形状であればよい。
【００３０】
集水部材３は、第１集水部３１に複数の第１排水部３２が設けられている。複数の第１排水部３２は、第１辺１０ｃに沿う方向に並んで設けられている。第１排水部３２は、例えば第１集水部３１の底部の最も低い位置よりも少し上側に設けられている。第１排水部３２は、例えば約４ｍｍ２〜２０ｍｍ２の大きさに開口した貫通孔である。集水部材３は、桟部材２４に固定金具３３で固定される。具体的に、集水部材３は、桟部材２４に吊り下げられるように配置される。また、集水部材３には、例えばステンレス、アルミニウム−亜鉛合金メッキ鋼板などの金属、または塩化ビニルなどの樹脂を用いることができる。
【００３１】
太陽電池装置ＰＡでは、集水部材３が複数の第１排水部３２を有することによって、太陽電池パネル１０上に降った雨水を集水部材３で集めた後に、第１排水部３２から太陽電池パネル１０の下方に位置する設置面Ｐに対して分散するように排水（散水）することができる。これにより、本実施形態では、太陽電池パネル１０上の雨水を農作物等の成長に利用しやすい。例えば、１つの排水部でもって特定の位置に排水させる場合は、その特定の位置に過剰の雨水が降り注ぐことになる。このような場合、この特定の位置において土壌の流出や農作物の傷みが発生しやすくなる。これに対し、本実施形態では、複数の第１排水部３２が一方向に間隔を空けて配置されているため、比較的広い範囲にわたって雨水を排水させやすい。これにより、本実施形態では、太陽電池パネル１０上の雨水を効率良く利用しやすい。また、本実施形態では、比較的広い範囲にわたって雨水を分散して排水できるため、局所的に水が溜まることによって生じる土壌の緩みなどを低減できる。
【００３２】
また、太陽電池装置ＰＡでは、図３（ｂ）に示すように、第１排水部３２が、第１集水部３１の底部側の最も低い位置よりも上側に設けられている。これにより、太陽電池装置ＰＡでは、雨水の混じった砂埃などの要因で生じた泥Ｍが第１集水部３１の底側に溜まった場合であっても、第１排水部３２に泥Ｍが詰まりにくい。その結果、第１排水部３２からの排水量を維持できる。
【００３３】
また、複数の第１排水部３２は、太陽電池パネル１０側に位置する第１集水部３１の凹部の側面に設けられていてもよい。具体的に、図３（ｂ）に示すように、第１集水部材３において、複数の第１排水部３２は、太陽電池パネル１０に近い位置に設けられてもよい。これにより、第１排水部３２からの排水方向を太陽電池パネル１０の下方側に近づけることができる。その結果、本実施形態では、太陽電池パネル１０に覆われた設置面Ｐ（太陽電池パネル１０の下方に位置する設置面Ｐ）と太陽電池パネル１０が設置されていない設置面Ｐにおける雨水の供給量の差をより低減することができる。
【００３４】
また、第１排水部３２を第１集水部３１の凹部の側面に設けることによって、第１排水部３２から射出される水の水平方向の速度は第１集水部３１に溜まった水の水位によって
変化する。この第１集水部３１中の水位は降雨量で変化することから、第１排水部３２から設置面Ｐに到達するまでに水が水平方向に移動する距離に変化を与えることができる。これにより、設置面Ｐで育成中の農作物に対して異なる位置に水を分散して供給することができるため、より農作物の傷みを低減できる。
【００３５】
≪第２実施形態≫
本実施形態では、図４（ａ）に示すように、第１排水部３２が集水部材３の側面に設けられた切欠部である点で第１実施形態と相違する。具体的に、切欠部で構成される第１排水部３２は、集水部材３と太陽電池パネル１０とを架台２に取り付けたときに、太陽電池パネル１０に近い側に位置する第１集水部３１の側面に設けられる。また、このような第１排水部３２は、第１集水部３１の底部側の最も低い部分までは達しない程度の範囲で設けられる。また、このような第１排水部３２は、約２ｍｍ〜４ｍｍの幅で第１集水部３１（凹部）の上端から中間までがＺ軸方向に向かって筋状に切り欠かれて形成されている。また、第１排水部３２は、第１実施形態と同様に、第１辺１０ｃに沿って（Ｘ軸方向に沿って）複数設けられている。
【００３６】
本実施形態では、第１排水部３２を切欠部で形成しているため、第１排水部３２の下端に泥が詰まった場合であっても、泥が詰まった位置よりも上側の位置から排水可能となる。これにより、第１排水部３２からの排水を維持できる。
【００３７】
なお、第１排水部３２の変形例としては、例えば図４（ｂ）に示すように、集水部材３の底側を多孔性材料で構成し、集水部材３の底部側の全体を第１排水部３２としてもよい。このような形態であれば、設置面Ｐに対してより広い範囲に雨水を分散することができる。
【００３８】
≪第３実施形態≫
本実施形態は、図５（ａ）に示すように、集水部材３が第１集水部３１とつながる第２集水部３４を有する点で上述の実施形態と相違する。具体的に、第２集水部３４は、第１排水部３２から太陽電池パネル１０の裏面１０ｄの下方に向かう方向を長手方向として、それぞれの第１排水部３２に連結されている。また、各第２集水部３４は、第１集水部３１と同様に架台２に取り付けられている。また、第２集水部３４は、複数の第２排水部３５を有する。本実施形態において、第２集水部３４は、図５（ａ）に示すように、太陽電池パネル１０の第１辺１０ｃに対して垂直方向に交差しつつ、太陽電池パネル１０の裏面１０ｂの下方に位置する部位まで延びている。また、本実施形態における第１排水部３２は、第１集水部３１から第２集水部３４に雨水を移動させるために第１集水部３１（凹部）の側面に設けられた開口部分に相当する。また、複数の第２排水部３５は、貫通孔で構成されている。
【００３９】
本実施形態では、第１集水部３１（凹部）と第２集水部３４とが第１排水部３２を介して連結されている。これにより、第１集水部３１で集められた雨水が太陽電池パネル１０の裏面１０ｂの下方に位置する第２集水部３３に移動して、第２排水部３５から設置面Ｐに排水される。第２排水部３５から排水された雨水は、太陽電池パネル１０の裏面１０ｂの下方に位置する設置面Ｐに向けてより均一に排水しやくなる。その結果、太陽電池パネル１０の裏面１０ｂの下方に位置する農作物に雨水を供給できる。
【００４０】
また、本実施形態では、図１（ａ）と異なり、図５（ｂ）のように太陽電池モジュール１を高密度に配置してもよい。これにより、第２排水部３５からより広い範囲にわたって雨水を分散させることができるため、太陽電池モジュール１の下方に位置する多くの農作物に雨水を供給しやすい。なお、図５（ｂ）に示した形態では、太陽電池モジュール１によって農作物に照射する太陽光の量が低減するが、比較的光飽和点の小さい農作物（例え
ば、レタスやネギなど）であれば育成可能である。
【００４１】
なお、太陽電池装置ＰＡの構成は上述の構造に限られるものではない。太陽電池装置ＰＡは、例えば図６に示すように、架台２にカバー部材２６を設けてもよい。このカバー部材２６は、桟部材２４に被せられる。また、カバー部材２６は、太陽電池モジュール１を支持する支持部２６ａと、太陽電池モジュール１のフレーム１５の切除部１５ａから流れ落ちる雨水を受ける溝部２６ｂと、カバー部材２６と太陽電池パネル１０の第１辺１０ｃよりも下方に配置され、溝部２６ｂに設けられた孔部２６ｃを有する。このような形態であれば、太陽電池パネル１０上の雨水は、太陽電池モジュール１の第３辺１０ｅ側（けらば側）に設けられた切除部１５ａからカバー部材２６の溝部２８ｂに流れる。その後、カバー部材２６の孔部２６ｃから集水部材３に流れた後に、集水部材３の第１排水部３２から設置面Ｐに排水される。これにより、設置面Ｐへの排水をより分散することができる。
【００４２】
≪第４実施形態≫
本実施形態は、図７に示すように、集水部材３が太陽電池モジュール１のフレーム１５に取り付けられている点で上述の実施形態と相違する。なお、本実施形態における太陽電池モジュール１は、上述の実施形態と同様に、太陽電池パネル１０の第１辺１０ｃが第２辺１０ｄよりも下方に位置するように傾斜して配置される。また、本実施形態では、集水部材３が第１辺１０ｃよりも下方に位置するようにフレーム１５に取り付けられている。また、集水部材３は、第１辺１０ｃに沿って延びる凹部を有する集水部（第１集水部３１）と、第１辺１０ｃに沿って並んで集水部に設けられた複数の排水部（第１排水部３２）と、を有している。また、集水部材３は、凹状の断面を有する凹部を有する第１集水部３１（凹部）を備えており、第１集水部３１の第１辺１０ｃに沿う方向の両端が塞がれている。これにより、太陽電池パネル１０上から流れ落ちた雨水を第１集水部３１で集めることができる。
【００４３】
さらに、集水部材３には、第１集水部３１の側方に互いに間隔を空けて設けられた複数の第１排水部３２である貫通孔を有している。これにより、本実施形態では、太陽電池パネル１０上に降った雨水を集水部材３で集めた後に、第１排水部３２から太陽電池パネル１０の下方に位置する設置面Ｐに対して分散するように排水（散水）することができる。これにより、本実施形態では、太陽電池パネル１０上の雨水を農作物等の成長に利用しやすい。
【００４４】
また、本実施形態における集水部材３の第１集水部３１および第１排水部３２には、上述の第１乃至第３実施形態と同様の構成を採用することができるため、各実施形態と同様に雨水の排水性を向上することができる。また、本実施形態のように、太陽電池モジュール１のフレーム１５に集水部材３を設けることによって、太陽電池装置ＰＡの構造を簡略化し、施工性を高めることができる。
【００４５】
なお、上述の各種実施形態では、太陽電池装置ＰＡ（太陽電池モジュール１）を農地で用いる形態で説明したが、これに限らない。例えば、比較的水はけの悪い土壌に太陽電池装置ＰＡを設置する場合に、雨水を分散させるように排水することによって、土壌（設置面Ｐ）の流動の発生を低減するようにしてもよい。
【符号の説明】
【００４６】
ＰＡ：太陽電池装置
１：太陽電池モジュール
１０：太陽電池パネル
１０ａ：受光面
１０ｂ：裏面
１０ｃ：第１辺
１０ｄ：第２辺
１０ｅ：第３辺
１０ｆ：第４辺
１１：透光性基板
１２：太陽電池素子
１３：充填材
１４：裏面保護部材
１５：フレーム
１５ａ：切除部
１６：配線材
２：架台
２１：基礎
２２：柱部材
２２Ａ：第１柱部材
２２Ｂ：第２柱部材
２３：梁部材
２３Ａ：第１梁部材
２３Ｂ：第２梁部材
２４：桟部材
２５：固定部材
２６：カバー部材
２６ａ：支持部
２６ｂ：溝部
２６ｃ：孔部
３：集水部材
３１：第１集水部（凹部）
３２：第１排水部
３３：固定部材
３４：第２集水部
３５：第２排水部
Ｐ：設置面
Ｗ：水
Ｍ：泥
【図１】
2016208716.tif 000003
【図２】
2016208716.tif 000004
【図３】
2016208716.tif 000005
【図４】
2016208716.tif 000006
【図５】
2016208716.tif 000007
【図６】
2016208716.tif 000008
【図７】
2016208716.tif 000009